(57)【要約】【課題】防水用部品が不要であるにもかかわらず防水性に優れ、しかも組み付け作業性のよい、鎖錠装置を備えた電気機器収納用箱を提供する。【解決手段】本発明の電気機器収納用箱は、扉３の端部付近の表面から内側に向けてシリンダー錠収納用の凹状ハウジング５を一体に形成し、その内部に扉３の鎖錠装置４のシリンダー錠７を埋設したものである。なお、シリンダー錠７の上部に、防水用の庇部９を設けた構造とすることが好ましい。従来のような複雑な防水処理が不要であり、組み立て作業性も向上させることができる。【選択図】図３
2008190132.tif 000002
【特許請求の範囲】
【請求項１】
扉の端部付近の表面から内側に向けて凹状ハウジングを扉と一体に形成し、その内部に扉の鎖錠装置のシリンダー錠を埋設したことを特徴とする電気機器収納用箱。
【請求項２】
シリンダー錠の上部に、防水用の庇部を設けたことを特徴とする請求項１に記載の電気機器収納用箱。
【発明の詳細な説明】
【技術分野】
【０００１】
本発明は、扉の鎖錠装置を備えた電気機器収納用箱に関するものであり、特に屋外に設置される電気機器収納用箱に関するものである。
【背景技術】
【０００２】
配電盤や分電盤などの電気機器収納用箱の扉には、例えば特許文献１に示されるように鍵付きの鎖錠装置が取り付けられており、鍵がなければ扉を開くことができない構造として、いたずら防止などセキュリティを高めていた。このような鍵付きの鎖錠装置にはハンドル式やキャッチ式など様々な形式があるが、何れも鎖錠装置自体がシリンダー錠を内蔵するためのハウジングを備えており、このような鎖錠装置を電気機器収納用箱の扉の孔に取り付けたものであった。
【０００３】
しかしながら、このような鎖錠装置を屋外に設置される電気機器収納用箱の扉に取り付ける場合には、鎖錠装置と扉の孔との間から雨水が浸入しないように防水処理を施さねばならず、そのためのネジ、ナット、パッキン等の部品点数が増えるうえに、組み付け作業に手間がかかるという問題があった。
【特許文献１】特開平１０−１９０２４８号公報
【発明の開示】
【発明が解決しようとする課題】
【０００４】
本発明は上記した従来の問題点を解決し、ネジ、ナット、パッキン等の防水用部品が不要であるにもかかわらず防水性に優れ、しかも組み付け作業性のよい、鎖錠装置を備えた電気機器収納用箱を提供することを目的としてなされたものである。
【課題を解決するための手段】
【０００５】
上記の課題を解決するためになされた本発明は、扉の端部付近の表面から内側に向けて凹状ハウジングを扉と一体に形成し、その内部に扉の鎖錠装置のシリンダー錠を埋設したことを特徴とするものである。なおシリンダー錠の上部に、防水用の庇部を設けた構造とすることが好ましい。
【発明の効果】
【０００６】
本発明の電気機器収納用箱は、扉の端部付近に凹状ハウジングを一体に形成し、その内部に扉の鎖錠装置のシリンダー錠を埋設した構造であるので、扉と鎖錠装置との間に従来のような複雑な防水処理が不要であり、ネジ、ナット、パッキン等の部品をなくすることができ、同時に組み立ての作業性も向上する。また請求項２のように、シリンダー錠の上部に防水用の庇部を設けた構造とすれば、屋外に設置した場合にも雨水がシリンダー錠に流れ込みにくくなる。
【発明を実施するための最良の形態】
【０００７】
以下に本発明の好ましい実施形態を説明する。
図１は本発明の実施形態を示す斜視図、図２は扉を閉じた状態の断面図、図３は要部の拡大断面図、図４は要部の分解斜視図である。図１、図２に示すように、この電気機器収納用箱は、ブレーカなどの電気機器が収納される箱本体１と、この箱本体１の前面に蝶番２によって開閉可能に枢着された樹脂製の扉３とからなる。扉３の蝶番２から遠い側の端部付近には、鎖錠装置４が取り付けられている。
【０００８】
この鎖錠装置４の詳細は図３、図４に示されるとおりであり、扉３の端部付近に、表面から内側に向けて凹状ハウジング５が扉３と一体に形成されている。この凹状ハウジング５は有底円筒状のものであり、扉３の表面側には下部が傾斜面６となった大径部が形成されており、円筒の底部となる奥側には貫通孔が形成されている。この傾斜面６は水を速やかに排出させるためのものである。
【０００９】
この凹状ハウジング５の内部には、シリンダー錠７が埋設されている。シリンダー錠７自体は周知のものであり、対応する鍵を差し込んだ場合にのみタンブラーが後退してシリンダーが回転できる構造のものである。シリンダー錠７は凹状ハウジング５の前面側に位置し、その周囲はシリンダー錠７の外筒を兼ねる取付けカバー８により覆われている。この取付けカバー８の筒内側面には係止凹部を設けて鍵を差し込まない場合に突出しているタンブラーが係止するようにし、シリンダー鍵７の回転を規制している。また取付けカバー８の前部にはシリンダー錠７の上部となる箇所に庇部９が突設されており、雨水がシリンダー錠７の内部に流入することを防止している。
【００１０】
凹状ハウジング５の内部のシリンダー錠７よりも奥側には、シリンダー錠７と一体的に回転可能な取付け部材１０が挿入されている。この取付け部材１０は略円柱状であり、その後端部１１は凹状ハウジング５の貫通孔からわずかに突出されている。そしてこの取付け部材１０の後端部１１には、ネジ１２によって鎖錠片１３が固定されている。このため、シリンダー錠７とともに取付け部材１０が回転されたときには鎖錠片１３も回転し、箱本体１側に設けられた受金具１４と係合したり、あるいは離脱したりして鎖錠・開錠の操作を行うことができる。なお、取付け部材１０の外周と扉３の凹状ハウジング５との間にはOリング１５が取付けられ、凹状ハウジング５に形成された貫通孔を通って雨水が電気機器収納用箱の内部に浸入することを防止している。
【００１１】
この実施形態で使用した取付け部材１０は凹状ハウジング５の内部にシリンダー錠７を配置するとともに、シリンダー錠７と鎖錠片１３とを連結する役割を持つ部材である。しかし本発明において取付け部材１０は必須のものではなく、シリンダー錠７と鎖錠片１３とを直結した構造とすれば省略することもできる。
【００１２】
このように構成された本発明の電気機器収納用箱は、内部にブレーカなどの電気機器を取付けて配電盤や分電盤などとして使用されるものであり、シリンダー錠７によって鎖錠片１３を回転させ、箱本体１側に設けられた受金具１４と係合させておけば、鍵を持たないものは扉３を開くことができないことは従来のものと同様である。
【００１３】
しかし本発明の電気機器収納用箱は、扉３と一体に凹状ハウジング５を形成し、その内部に鎖錠装置４のシリンダー錠７を埋設した構造であるので、扉３と鎖錠装置４との間にOリング１５を設けるのみでその他の防水処理が不要であり、組み立ての作業性も向上させることができる利点がある。
【００１４】
なお、このようにシリンダー錠７を組み込んで扉３のセキュリティを高めても、扉３を箱本体１に枢着している蝶番２を分解して扉３を開かれるおそれがある。すなわち、一般的な蝶番は蝶番ピンの先端に抜け止め部材を取付けてあるが、従来の電気機器収納用箱の蝶番は、扉を閉じた状態においてもこの抜け止め部材が外部に露出しており、工具によって抜け止め部材を取り外し、蝶番ピンを引き抜くことが可能であった。
【００１５】
そこでこの実施形態では図５〜図７に示すように、箱本体１側の蝶番部２０と扉３側の蝶番部２１とを枢着している蝶番ピン２２の頭部２３に抜け止め部材２４を装着し、この抜け止め部材２４は扉３側の蝶番部２１の端部に形成された空間２５に収納できるようにしておく。なお２６は抜け止め部材２４と一体成形された脱落防止片である。
【００１６】
蝶番２をこのような構造としておけば、扉３を閉じた状態では図６のように抜け止め部材２４の脱落防止片２６は空間２５に収納されて外部に露出しないので、従来のように蝶番ピン２２を引き抜いて扉３を開くことができなくなる。なお、扉３を開いた状態では図７のように抜け止め部材２４を空間２５から外すことが可能である。鎖錠装置４をシリンダー錠７付きのものとするとともに、このような構造を蝶番２側に採用すれば、電気機器収納用箱全体のセキュリティを一段と高めることが可能となる。
【図面の簡単な説明】
【００１７】
【図１】本発明の実施形態を示す斜視図である。
【図２】扉を閉じた状態の断面図である。
【図３】要部の拡大断面図である。
【図４】要部の分解斜視図である。
【図５】実施形態の蝶番部分の分解斜視図である。
【図６】扉を閉じた状態の蝶番部分の斜視図である。
【図７】扉を開いた状態の蝶番部分の斜視図である。
【符号の説明】
【００１８】
１  箱本体
２  蝶番
３  扉
４  鎖錠装置
５  凹状ハウジング
６  大径部
７  シリンダー錠
８  取付けカバー
９  庇部
１０  取付け部材
１１  後端部
１２  ネジ
１３  鎖錠片
１４  受金具
１５  Oリング
２０  箱本体１側の蝶番部
２１  扉側の蝶番部
２２  蝶番ピン
２３  頭部
２４  抜け止め部材
２５  空間
２６  脱落防止片
【図１】
2008190132.tif 000003
【図２】
2008190132.tif 000004
【図３】
2008190132.tif 000005
【図４】
2008190132.tif 000006
【図５】
2008190132.tif 000007
【図６】
2008190132.tif 000008
【図７】
2008190132.tif 000009